(57)【要約】      （修正有）【課題】直液式ホワイトボードマーカーを提供する。【解決手段】ホワイトボードマーカー本体２と、ホワイトボードマーカー本体に内設され、カートリッジ本体３１及びカートリッジカバー３２を含み、カートリッジカバーのシャフトソケットの軸孔３２６にはインクの流動に従って変位するビーズ３２７が装設される交換可能なインクカートリッジ３と、ホワイトボードマーカー本体に内設され、中綿４１及びインクガイド装置４２を含み、中綿はインクを替え芯にガイドするために用いられ、インクガイド装置は外輪カラム４３、内輪カラム４４、及び接続リブ４５で構成され、外輪カラムは前端開口部、後端開口部、及び通路を有し、内輪カラムは外輪カラムの前方を超過して中綿を抑えて位置決めさせ、且つ後端開口部の壁部はカートリッジカバーのシャフトソケット３２３の軸孔の後方に延伸され、且つバイパス弁を形成し、バイパス弁は内輪カラムの通路に連通しているインクガイド組立部材と、を備える。【選択図】図１
0003233595.tif 000002
【実用新案登録請求の範囲】
【請求項１】
チューブ部と、前記チューブ部の一端に設置されている替え芯ホルダーと、替え芯と、を含むホワイトボードマーカー本体と、
前記チューブ部内に収容される交換可能なインクカートリッジであって、カートリッジ本体及びカートリッジカバーを含み、前記カートリッジ本体はインクの収容に用いられ、カートリッジ本体の口部を有し、前記カートリッジカバーは前記カートリッジ本体のカートリッジ本体の口部の封止に用いられ、且つ前記カートリッジカバーの内面にはシャフトソケットが設置され、前記シャフトソケットは軸孔を有し、前記軸孔にはビーズが装設されている交換可能なインクカートリッジと、
前記ホワイトボードマーカー本体に内設され、中綿及びインクガイド装置を含み、前記中綿の一端は前記替え芯に連結され、インクを前記替え芯にガイドするために用いられ、他端は前記インクガイド装置に接合され、前記インクガイド装置は外輪カラム及び内輪カラムで構成され、前記外輪カラムは前記チューブ部の一端に装設され、前記内輪カラムは前記外輪カラムの内部から軸方向に延伸され、組立時に前記ビーズが前記カートリッジ本体内まで押動され、対応する前端開口部と、後端開口部と、前記前端開口部及び前記後端開口部を貫通している通路と、を有し、前記内輪カラムの後端開口部の壁部は前記カートリッジカバーにあるシャフトソケットの軸孔の後方を超えるようにさらに延伸されてバイパス弁を形成し、前記バイパス弁は正方向のバルブ口及び側方向の少なくとも１つのオーバーフロー口を有し、前記バルブ口及び前記オーバーフロー口は前記内輪カラムの通路に連通しているインクガイド組立部材と、
前記交換可能なインクカートリッジのカートリッジ本体の後側に覆設されている後端スリーブと、
前記ホワイトボードマーカー本体の前端縁箇所に覆設されているホワイトボードカバーと、を備え、
前記インクガイド装置の後端にバイパス弁が設置されることにより、前記カートリッジ本体内のビーズと組み合わせて一部を封止し、インクを減量させて持続的に出力させ、前記替え芯箇所のインク供給量をさらに安定させ、スムーズな書き心地効果を達成させていることを特徴とする直液式ホワイトボードマーカー。
【請求項２】
前記内輪カラムが前記外輪カラムの前方を超過することで、前記中綿を抑えて位置決めさせていることを特徴とする請求項１に記載の直液式ホワイトボードマーカー。
【請求項３】
前記外輪カラムと前記内輪カラムとの間に接続リブが設けられ、前記接続リブは前記外輪カラム及び前記内輪カラムにそれぞれ連接され、前記接続リブは板状を呈していると共に前記内輪カラムを中心として４つが９０度の角度で放射状に設けられ、これにより前記内輪カラムが前記外輪カラムの中央位置に正確且つ堅固に位置決めされていることを特徴とする請求項１に記載の直液式ホワイトボードマーカー。
【請求項４】
前記ビーズとして鋼球、ガラス球、及びプラスチック球のうちの１つを採用していることを特徴とする請求項１に記載の直液式ホワイトボードマーカー。
【請求項５】
前記ホワイトボードマーカー本体のチューブ部の後端箇所にはめねじを有し、前記後端スリーブの前端には前記チューブ部のめねじに螺接するおねじが設置され、前記カートリッジ本体の内面には少なくとも１つの凹部が設けられ、前記カートリッジカバーの外面には前記凹部に装設されている少なくとも１つの凸部が設けられていることを特徴とする請求項１に記載の直液式ホワイトボードマーカー。
【請求項６】
前記後端スリーブの後端は弧状を有している円滑輪郭であり、これによりホワイトボードマーカーを縦置きすることによる潜在的な危険を回避していることを特徴とする請求項１に記載の直液式ホワイトボードマーカー。
【請求項７】
前記ホワイトボードカバーの前端は弧状を有している円滑輪郭であり、これによりホワイトボードマーカーを縦置きすることによる潜在的な危険を回避し、且つ、前記ホワイトボードカバーの外面には六角形輪郭を有し、横置きする際に転がらないようにしていることを特徴とする請求項１に記載の直液式ホワイトボードマーカー。
【請求項８】
前記チューブ部の前端箇所には替え芯を挿設するための２段階になる替え芯ホルダーを有し、中段箇所は前記交換可能なインクカートリッジ及び前記インクガイド組立部材の収容に用いられ、後端箇所にはめねじ及び前記めねじとの間に小さな間隔を保持するリッジ部を有し、前記めねじは前記後端スリーブの螺接に用いられ、前記リッジ部は前記後端スリーブが前記チューブ部に螺接されて位置決めされた後、前記チューブ部のめねじとの位置ずれがあった場合に示唆音を発することを特徴とする請求項５に記載の直液式ホワイトボードマーカー。
【考案の詳細な説明】
【技術分野】
【０００１】
本考案は、ホワイトボードマーカーに関し、更に詳しくは、インク供給量が安定し、書き心地がスムーズな直液式ホワイトボードマーカーに関する。
【背景技術】
【０００２】
従来のマーカーには主に直液式及び中綿式という２種類のインク供給方式がある。直液式マーカーの大部分は万年筆に適用し、マーカー内部のインク供給装置によりインク供給量を間断的に制御している。
【考案の概要】
【考案が解決しようとする課題】
【０００３】
大多数のホワイトボードマーカーにはマーカーの使用を延長するインクカートリッジ交換式設計が採用されているが、インクカートリッジ内に貯蔵されているインクは常態では通常粘度が一定ではなく、沈殿しやすいという物理的性質があり、供給されるインクが不均一になることが度々あった。また、従来のホワイトボードマーカーの多くは中綿式構造となっており、主に中綿をインクの中継媒体として利用しているため、替え芯箇所に間欠的にインクが供給される状況が発生し、インクの安定供給ができず、滑らかに筆記できなくなった。
【０００４】
そこで、本考案者は上記の欠点が改善可能と考え、鋭意検討を重ねた結果、合理的設計で上記の課題を効果的に改善する本考案の提案に至った。
【０００５】
本考案は前記技術的課題に鑑みて開発されたものであり、直液式ホワイトボードマーカーを提供することを目的とする。
【課題を解決するための手段】
【０００６】
上記課題を解決するために、本考案のある態様の直液式ホワイトボードマーカーは、
チューブ部と、前記チューブ部の一端に設置されている替え芯ホルダーと、替え芯と、を含むホワイトボードマーカー本体と、
前記チューブ部内に収容される交換可能なインクカートリッジであって、カートリッジ本体及びカートリッジカバーを含み、前記カートリッジ本体はインクの収容に用いられ、カートリッジ本体の口部を有し、前記カートリッジカバーは前記カートリッジ本体のカートリッジ本体の口部の封止に用いられ、且つ前記カートリッジカバーの内面にはシャフトソケットが設置され、前記シャフトソケットは軸孔を有し、前記軸孔にはビーズが装設されている交換可能なインクカートリッジと、
前記ホワイトボードマーカー本体に内設され、中綿及びインクガイド装置を含み、前記中綿の一端は前記替え芯に連結され、インクを前記替え芯にガイドするために用いられ、他端は前記インクガイド装置に接合され、前記インクガイド装置は外輪カラム及び内輪カラムで構成され、前記外輪カラムは前記チューブ部の一端に装設され、前記内輪カラムは前記外輪カラムの内部から軸方向に延伸され、組立時に前記ビーズが前記カートリッジ本体内まで押動され、対応する前端開口部と、後端開口部と、前記前端開口部及び前記後端開口部を貫通している通路と、を有し、前記内輪カラムの後端開口部の壁部は前記カートリッジカバーにあるシャフトソケットの軸孔の後方を超えるようにさらに延伸されてバイパス弁を形成し、前記バイパス弁は正方向のバルブ口及び側方向の少なくとも１つのオーバーフロー口を有し、前記バルブ口及び前記オーバーフロー口は前記内輪カラムの通路に連通しているインクガイド組立部材と、
前記交換可能なインクカートリッジのカートリッジ本体の後側に覆設されている後端スリーブと、
前記ホワイトボードマーカー本体の前端縁箇所に覆設されているホワイトボードカバーと、を備えている。
【考案の効果】
【０００７】
本考案によれば、前記バイパス弁は正方向のバルブ口及び側方向の少なくとも１つのオーバーフロー口を有し、前記バルブ口及び前記オーバーフロー口は前記内輪カラムの通路に連通している。使用時には、前記カートリッジ本体内のビーズにより前記正方向のバルブ口を封止し、前記カートリッジ本体内のインクが前記側方向の少なくとも１つのオーバーフロー口のみを通って前記通路に進入し、前記中綿及び前記替え芯に供給される。これにより、流量制限機能を達成し、インクを減量させて持続的に出力させ、インクを出力すると同時に前記中綿内に含まれる空気も前記通路に沿って逆方向に前記カートリッジ本体内部に入力され、インク供給時の液圧を平衡状態にし、インク供給をさらに均等にする。
【０００８】
さらに、前記後端スリーブの後端及び前記ホワイトボードカバーの前端が共に弧状を有している円滑輪郭であり、ホワイトボードマーカーを縦置きすることによる潜在的な危険を回避している。また、前記ホワイトボードカバーの外面には六角形輪郭を有し、横置きする際に転がらないようにしている。
【０００９】
本明細書及び図面の記載により、少なくとも、以下の事項が明らかとなる。
【図面の簡単な説明】
【００１０】
【図１】本考案の一実施形態に係るホワイトボードマーカーを示す外観斜視図である。
【図２】図１の傾斜構成図である。
【図３】図２のＡ−Ａ線に沿う断面図である。
【図４】図３のインクガイド装置の操作を示す概略図である。
【図５】本考案の一実施形態に係るホワイトボードマーカーのインクガイド装置を後から見た傾斜図である。
【図６】本考案の一実施形態に係るホワイトボードマーカーの交換可能なインクカートリッジを交換する時の操作の概略図である。
【図７】本考案の一実施形態に係るホワイトボードマーカーの交換可能なインクカートリッジを交換する時の他の操作の概略図である。
【考案を実施するための形態】
【００１１】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１２】
まず、図１〜６を参照しながら、本考案のホワイトボードマーカー１をさらに詳しく説明する。
次に、ホワイトボードマーカー１は主にホワイトボードマーカー本体２、交換可能なインクカートリッジ３、インクガイド組立部材４、後端スリーブ５、及びホワイトボードカバー６で構成されている。
【００１３】
前記ホワイトボードマーカー本体２はチューブ部２０と、替え芯ホルダー２１と、替え芯２２と、を備えている。前記チューブ部２０の前端箇所には替え芯２２を挿設するための２段階になる替え芯ホルダー２１を有し、中段箇所は前記交換可能なインクカートリッジ３及び前記インクガイド組立部材４の収容に用いられ、後端箇所にはめねじ２５と前記めねじ２５との間に小さな間隔を保持するリッジ部２５１を有している。前記めねじ２５は前記後端スリーブ５の螺接に用いられ、前記リッジ部２５１は前記後端スリーブ５に螺接されて位置決めされた後、前記めねじ２５との位置ずれがあった場合に示唆音を発する。
【００１４】
また、前記交換可能なインクカートリッジ３は前記チューブ部２の中段箇所に収容され、インクの収容に用いられるカートリッジ本体３１及びカートリッジカバー３２を備えている。前記カートリッジ本体３１はカートリッジ本体の口部３１１を有し、前記カートリッジカバー３２は前記カートリッジ本体３１のカートリッジ本体の口部３１１の封止に用いられ、前記カートリッジ本体３１内のインクが漏れ出すことを防止している。また、前記カートリッジカバー３２の外面には凸部３２１が設けられ、前記凸部３２１により前記カートリッジ本体３１のカートリッジ本体の口部３１１に装設されている。また、前記カートリッジカバー３２の内面にはシャフトソケット３２３が設置され、前記シャフトソケット３２３は軸孔３２６を有し、前記軸孔３２６にはビーズ３２７が装設されている。前記ビーズ３２７として鋼球、ガラス球、及びプラスチック球のうちの１つが選択され、インクの流動に従って前記カートリッジ本体３１のカートリッジ本体の口部３１１を塞く又は開くように変位する。
【００１５】
前記インクガイド組立部材４は前記ホワイトボードマーカー本体２の中段箇所に設置され、中綿４１及びインクガイド装置４２を備えている。前記中綿４１はスポンジ体であり、その一端は前記替え芯２２に連結され、インクを前記替え芯２２にガイドするために用いられている。他端は前記インクガイド装置４２に接合されている。前記インクガイド装置４２は外輪カラム４３、内輪カラム４４、及び接続リブ４５で構成されている。図１及び図３を参照すると、前記外輪カラム４３は前記ホワイトボードマーカー本体２のチューブ部２０の一端に装設され、前記内輪カラム４４は前記外輪カラム４３の内部から軸方向に延伸され、組立時に前記ビーズ３２７を前記カートリッジ本体３１内まで押動する（図３の矢印で示す方向）。前記外輪カラム４３は対応する前端開口部４４１と、後端開口部４４２と、前記前端開口部４４１及び前記後端開口部４４２を貫通している通路４４３と、を有し、前記通路４４３は使用時にインク及び空気を輸送する。インクは前記交換可能なインクカートリッジ３から前記中綿４１の方向に輸送され、空気は前記中綿４１から前記交換可能なインクカートリッジ３の方向に輸送される。前記通路４４３が前記内輪カラム４４の前端開口部４４１及び後端開口部４４２を貫通するように設置されていることで、使用時に液圧が平衡状態を維持する。前記内輪カラム４４を前記外輪カラム４３の前方を超過するように挿着することで前記中綿４１をさらに抑えて固定し、前記内輪カラム４４の後端開口部４４２の壁部が前記軸孔３２６の後方を超えるようにさらに延伸されることでバイパス弁４４６を形成している（図５参照）。本実施例のバイパス弁４４６には対になる板状構造を採用し、前記内輪カラム４４の通路４４３に連通している正方向のバルブ口４４７及び側方向の少なくとも１つのオーバーフロー口４４８を有している。前記接続リブ４５は前記外輪カラム４３及び前記内輪カラム４４を連接するように前記外輪カラム４３と前記内輪カラム４４との間に位置している。本実施例の前記接続リブ４５は板状を呈していると共に前記内輪カラム４４を中心として４つが９０度の角度で放射状に設けられ、これにより前記内輪カラム４４が前記外輪カラム４３の中央位置に位置決めされている。
【００１６】
前記後端スリーブ５は前記交換可能なインクカートリッジ３のカートリッジ本体３１の後側に覆設され、その前端には前記ホワイトボードマーカー本体２のめねじ２５に螺接されるおねじ５１が設けられている。また、図１に示される前記後端スリーブ５のおねじ５１は端部５１１を有し、且つ前記後端スリーブ５の後端は弧状を有している円滑輪郭であり、これによりホワイトボードマーカーを縦置きすることによる潜在的な危険を回避している。
【００１７】
前記ホワイトボードカバー６は前記ホワイトボードマーカー本体２の前端縁箇所に覆設され、前記替え芯２２及び防止インクが乾かないように保護している。前記ホワイトボードカバー６の前端も同様に弧状を有している円滑輪郭であり、これによりホワイトボードマーカーを縦置きすることによる潜在的な危険を回避している。また、前記ホワイトボードカバー６の外面には六角形輪郭を有し、横置きする際に転がらないようにしている。
【００１８】
また、図６を参照すれば、本実施例の直液式ホワイトボードマーカー１は、前記交換可能なインクカートリッジ３を使い終わった場合、前記交換可能なインクカートリッジ３のカートリッジ本体３１のカートリッジ本体の口部３１１が上を向くように保持し、前記後端スリーブ５を回転して開くと共に使い終わった前記交換可能なインクカートリッジ３を前記ホワイトボードマーカー本体２から取り外し、新しい交換用インクカートリッジ７を装入し、最後に前記後端スリーブ５を逆方向に前記ホワイトボードマーカー本体２まで回転すると、インクカートリッジの交換作業が完了する。操作が十分に簡単であり、利便性の需要を満たす。また、図７は本考案に係るホワイトボードマーカーの交換可能なインクカートリッジを交換する際の他の動作の概略図であり、前述の図６の操作と類似し、前記交換可能なインクカートリッジ３を使い終わった場合、前記交換可能なインクカートリッジ３のカートリッジ本体３１のカートリッジ本体の口部３１１が上を向くように保持し、前記後端スリーブ５を回転して開き、インクカートリッジ３を握持して上から下に緩めて取り出し、新しいインクカートリッジ３'の蓋を開いた後、後端スリーブ５を装入して位置決めして前記ホワイトボードマーカー本体２まで逆方向に回転し、インクカートリッジの交換作業を完了する。
【００１９】
図４と図５に示すように、本実施例のホワイトボードマーカー１の使用状態について下述する。筆記時には、前記ホワイトボードマーカー本体２がほぼ垂直状態となり、前記カートリッジ本体３１内のビーズ３２７が前記バイパス弁４４６まで即移動すると共に正方向のバルブ口４４７を封止し、前記カートリッジ本体３１内のインクが側方向オーバーフロー口４４８のみを通って前記通路４４３内に進入し（図４の矢印に示す方向）、前記中綿４１及び前記替え芯２２に出力される。これにより流量制限機能を達成してインクを減量させて持続的に出力させ、インクを出力すると同時に、前記中綿４１内に含まれる空気も前記通路４４３に沿って逆方向に前記カートリッジ本体３１内部に入力され、インク供給時の液圧を平衡状態にし、インクの供給をより均一にする。
【００２０】
そこで、前記インクガイド装置４２の後端にバイパス弁４４６を設置することにより、前記カートリッジ本体３１内のビーズ３２７と組み合わせて一部を封止し、インクを減量させて持続的に出力させ、前記替え芯２２箇所のインク供給量をさらに安定させ、スムーズな書き心地効果を達成させている。
【００２１】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００２２】
１  ホワイトボードマーカー
２  ホワイトボードマーカー本体
３  交換可能なインクカートリッジ
３'  交換可能なインクカートリッジ
４  インクガイド組立部材
５  後端スリーブ
６  ホワイトボードカバー
７  新しい交換用インクカートリッジ
２０  チューブ部
２１  替え芯ホルダー
２２  替え芯
２３  内輪リブ
２５  めねじ
２５１  リッジ部
カートリッジ本体３１  カートリッジ本体
３２  カートリッジカバー
４１  中綿
４２  インクガイド装置
４３  外輪カラム
４４  内輪カラム
４５  接続リブ
５１  おねじ
３１１  カートリッジ本体の口部
３２１  凸部
３２３  シャフトソケット
３２６  軸孔
３２７  ビーズ
４４１  前端開口部
４４２  後端開口部
４４３  通路
４４６  バイパス弁
４４７  バルブ口
４４８  オーバーフロー口
５１１  おねじ端部
【図１】
0003233595.tif 000003
【図２】
0003233595.tif 000004
【図３】
0003233595.tif 000005
【図４】
0003233595.tif 000006
【図５】
0003233595.tif 000007
【図６】
0003233595.tif 000008
【図７】
0003233595.tif 000009